(57)【特許請求の範囲】
【請求項１】
信号のビットデータ列を副変調した赤外線パルス列に変換して無線で伝送し，ビットデータが副変調をかけた一定長さの赤外線パルス列と次の赤外線パルス列との時間間隔により構成され，“０”，“１”の識別を該時間間隔の相違により行うデータ伝送方式を用いた赤外線無線通信装置であって，
“０”または“１”以外の時間間隔を有するリーダパルス及びエンドパルスをそれぞれビットデータ列の前後に挿入し，受信装置側では所定の回数以上リーダパルスが受信されない場合，またはビットデータ列全体の長さが所定の範囲内にないときは，該ビットデータ列を無効とすることを特徴とする赤外線無線通信装置。
【請求項２】
“０”，“１”，リーダパルス及びエンドパルスを識別する各赤外線パルス列の時間間隔の差が赤外線パルス列の長さの２倍以上であり，識別のための時間のしきい値を各赤外線パルス列の時間間隔の和の１／２の時間の長さに設定してあることを特徴とする請求項１記載の赤外線無線通信装置。
【請求項３】
請求項１記載の赤外線無線通信装置であって，
ビットデータ列を一連の副変調をかけた赤外線パルス列に変換，送出する無線入力装置と，全キーがオフとなった後に，クロックを停止し，ハードウエア割り込みのみが有効となるストップモードに入り，次のキー入力をハードウエア割り込み入力として復帰する制御装置とを有することを特徴とする赤外線無線通信装置。
【請求項４】
請求項１記載の赤外線無線通信装置であって，
送信するデータ列が，ステータス領域とデータ領域からなり，ステータス領域がキー入力装置またはポインティング装置を判別するデバイスＩＤと装置の機番を判別するサブＩＤとを含み，
データ領域がキーを押下したこと（メイク）とキーを離したこと（ブレイク）を判別するメイク／ブレイク判別ビットと押下したキーを示すキーアドレスからなることを特徴とする赤外線無線通信装置。
【請求項５】
請求項１記載の赤外線無線通信装置であって，
送信するデータ列が，ステータス領域とデータ領域からなり，ステータス領域がキー入力装置またはポインティング装置を判別するデバイスＩＤと装置の機番を判別するサブＩＤとを含み，
ステータス領域にポインティングボタンのメイク／ブレイクの状態を示すメイク／ブレイク状態ビットを有し，データ領域が正負のデータビットとアナログ量から変換されたディジタル値データからなることを特徴とする赤外線無線通信装置。
【請求項６】
請求項１記載の赤外線無線通信装置であって，
アナログ量をディジタルデータに変換し，受信側に伝送するポインティンク装置と，最後にアナログ量の検出を行った後に，アナログ量の連続検出を停止し第１の所定時間ごとにアナログ量の検出を行うスタンバイモードに移行し，変化があった場合のみアナログ量の連続検出を行う通常モードに復帰し，さらに第１の所定時間より長い第２の所定時間までに変化が検出されない場合はクロックを停止し，ハードウエア割り込みのみを有効となるストップモードに入り，次のキー入力をハードウエア割り込み入力として復帰する制御装置とを有することを特徴とする赤外線無線通信装置。
【請求項７】
請求項１記載の赤外線無線通信装置が複数の無線入力装置を有し，
該無線入力装置は，信号のビットデータ列を副変調して赤外線パルス列に変換して無線で送出する無線入力装置同士が同期をとることのできないものであり，
予め，入力装置ごとのデータ送信間隔を規定し，一定間隔でデータを送出している第１の入力装置のデータのない時間間隔に，第２の入力装置のデータを割り込ませて送信することを特徴とする赤外線無線通信装置。
【請求項８】
請求項１記載の赤外線無線通信装置が複数の無線入力装置を有し，
該無線入力装置は，信号のビットデータ列を副変調して赤外線パルス列に変換して無線で送出する無線入力装置同士が同期をとることのできないものであり，
予め，マウス及びキーのデータ転送周期を次のように規定したことを特徴とする赤外線無線通信装置。
マウスのデータ送信時間をＭ,キーのデータ送信時間をＫ，各データの間隙の時間ｔとすると，
マウスデータ転送周期＝２Ｍ＋２Ｋ＋４ｔ・・・(1)
キーデータ  転送周期＝Ｍ＋Ｋ＋２ｔ・・・・・(2)
【請求項９】
請求項１記載の赤外線無線通信装置が複数の無線入力装置を有し，
該無線入力装置は，キーを押下した時にメイクデータ列を送出し，キーを離したときにブレイクデータ列を出力し，ビットデータ列を一連の副変調をかけた赤外線パルス列に変換，送出するものであり，
メイクデータとブレイクデータをそれぞれ２回ずつ一定間隔〔請求項８記載の(2)式〕で出力することを特徴とする赤外線無線通信装置。
【請求項１０】
請求項９記載の赤外線無線通信装置が，キーを同時押下時に最初に検出したキーデータよりメイクデータを請求項８記載の(2)式のデータ間隔で２回出力し，その後次に検出したキーのメイクデータを請求項８記載の(2)式記載のデータ間隔で２回出力することを特徴とする赤外線無線通信装置。
【請求項１１】
請求項９記載の赤外線無線通信装置が，キーのメイクデータを出力し，その後更にキーの押下状態が継続されている場合，請求項８記載の(2）式のデータ間隔の奇数倍の周期でデータを出力することを特徴とする赤外線無線通信装置。
【請求項１２】
請求項９記載の赤外線無線通信装置が，多重打鍵される機能キーが最初に放たれた場合に，請求項８記載の(2）式のデータ間隔でブレイクデータを２回出力することを特徴とする赤外線無線通信装置。
【請求項１３】
請求項９記載の赤外線無線通信装置が，多重打鍵時に最後に放たれるキーのブレイクデータを全キーオフデータとしてデータ送出を行うことを特徴とする赤外線無線通信装置。
【発明の詳細な説明】
【０００１】
【発明の属する技術分野】
本発明はキーボード等の文字入力デバイスやマウス等のポインティングデバイスの信号を赤外線に変換し，伝送する通信装置及び入力装置に関する。
【０００２】
近年, 従来はビジネス用とされてきたパーソナルコンピュータ等の情報機器が家庭内に浸透しはじめてきたが，元来がビジネス用であるため当然長いケーブルが付属し，家庭内で使用するにはこれらの長いケーブル類がじゃまになっている。今後, これらの情報機器の普及が進むにつれ, これらのデバイスのケーブルレス化の要求が増えてくる。
【０００３】
このため，電波や赤外線により無線でデータを伝送することが必要となってきている。
以下の記載においては，(A) データの誤りを防止して確実なデータ伝送を行い, 且つ消費電力を低減する，及び(B) 複数のデバイスが同時に使用可能にする目的に別けて説明する。
【０００４】
【従来の技術】
(A) 無線化の方式としては，従来から電波や赤外線が用いられているが, 伝送距離が短い, 寿命が短い, 使い勝手がよくない等の面で必ずしも満足できるものではなかった。従って, 伝送距離を延ばし, 且つ消費電力を下げて寿命を延ばす必要がある。
【０００５】
(B) また，赤外線無線化方式は，各デバイスが同時に使用されたときに，赤外線データの干渉を生じ，有効なデータが伝送されなくなり，同時使用は不可能である。これに対して電波方式では，変調周波数を変えることで各デバイスの認識が可能であり，従って複数のデバイスの同時使用が可能である。
【０００６】
【発明が解決しようとする課題】
(A) 本発明は, 赤外線無線伝送装置において，データの誤りを防止して確実なデータ伝送を行い, 且つ消費電力を少なくすることを目的とする。
【０００７】
(B) また，ケーブルを使用した現行の有線方式に比べて，電波方式での無線化は割高となる。
本発明は，低コストである赤外線通信方式で複数のデバイスが同時に使用可能な入力装置の提供を目的とする。
【０００８】
【課題を解決するための手段】
上記課題の解決は，
(A)  ：
１）信号のビットデータ列を副変調した赤外線パルス列に変換して無線で伝送し，ビットデータが副変調をかけた一定長さの赤外線パルス列と次の赤外線パルス列との時間間隔により構成され，“０”，“１”の識別を該時間間隔の相違により行うデータ伝送方式を用いた赤外線無線通信装置であって，“０”または“１”以外の時間間隔を有するリーダパルス及びエンドパルスをそれぞれビットデータ列の前後に挿入し，受信装置側では所定の回数以上リーダパルスが受信されない場合，またはビットデータ列全体の長さが所定の範囲内にないときは，該ビットデータ列を無効とする赤外線無線通信装置，あるいは
２）“０”，“１”，リーダパルス及びエンドパルスを識別する各赤外線パルス列の時間間隔の差が赤外線パルス列の長さの２倍以上であり，識別のための時間のしきい値を，“０”と“１”の時間間隔の和の１／２の時間の長さ、“１”とリーダパルスの時間間隔の和の１／２の時間の長さに設定してある前記１記載の赤外線無線通信装置，あるいは
３）前記１記載の赤外線無線通信装置であって，ビットデータ列を一連の副変調をかけた赤外線パルス列に変換，送出する無線入力装置と，全キーがオフとなった後に，クロックを停止し，ハードウエア割り込みのみが有効となるストップモードに入り，次のキー入力をハードウエア割り込み入力として復帰する制御装置とを有する赤外線無線通信装置，あるいは
４）前記１記載の赤外線無線通信装置であって，送信するデータ列が，ステータス領域とデータ領域からなり，ステータス領域がキー入力装置またはポインティング装置を判別するデバイスＩＤと装置の機番を判別するサブＩＤとを含み，データ領域がキーを押下したこと（メイク）とキーを離したこと（ブレイク）を判別するメイク／ブレイク判別ビットと押下したキーを示すキーアドレスからなる赤外線無線通信装置，あるいは
５）前記１記載の赤外線無線通信装置であって，送信するデータ列が，ステータス領域とデータ領域からなり，ステータス領域がキー入力装置またはポインティング装置を判別するデバイスＩＤと装置の機番を判別するサブＩＤとを含み，ステータス領域にポインティングボタンのメイク／ブレイクの状態を示すメイク／ブレイク状態ビットを有し，データ領域が正負のデータビットとアナログ量から変換されたディジタル値データからなる赤外線無線通信装置，あるいは
６）前記１記載の赤外線無線通信装置であって，アナログ量をディジタルデータに変換し，受信側に伝送するポインティング装置と，最後にアナログ量の検出を行った後に，アナログ量の連続検出を停止し第１の所定時間ごとにアナログ量の検出を行うスタンバイモードに移行し，変化があった場合のみアナログ量の連続検出を行う通常モードに復帰し，さらに第２の所定時間までに変化が検出されない場合はクロックを停止し，ハードウエア割り込みのみを有効となるストップモードに入り，次のキー入力をハードウエア割り込み入力として復帰する制御装置とを有する赤外線無線通信装置，あるいは
(B)  ：
７）前記１記載の赤外線無線通信装置が複数の無線入力装置を有し，該無線入力装置は，信号のビットデータ列を副変調して赤外線パルス列に変換して無線で送出する無線入力装置同士が同期をとることのできないものであり，予め，入力装置ごとのデータ送信間隔を規定し，一定間隔でデータを送出している第１の入力装置のデータのない時間間隔に，第２の入力装置のデータを割り込ませて送信する赤外線無線通信装置，あるいは
８）前記１記載の赤外線無線通信装置が複数の無線入力装置を有し，該無線入力装置は，信号のビットデータ列を副変調して赤外線パルス列に変換して無線で送出する無線入力装置同士が同期をとることのできないものであり，予め，マウス及びキーのデータ転送周期を次のように規定した赤外線無線通信装置により解決できる。
【０００９】
また，マウスのデータ送信時間をＭ,キーのデータ送信時間をＫ，各データの間隙の時間ｔとすると，
マウスデータ転送周期＝２Ｍ＋２Ｋ＋４ｔ・・・(1)
キーデータ  転送周期＝Ｍ＋Ｋ＋２ｔ・・・・・(2)
，あるいは
９）前記１記載の赤外線無線通信装置が複数の無線入力装置を有し，該無線入力装置は，キーを押下した時にメイクデータ列を送出し，キーを離したときにブレイクデータ列を出力し，ビットデータ列を一連の副変調をかけた赤外線パルス列に変換，送出するものであり，メイクデータとブレイクデータをそれぞれ２回ずつ一定間隔（前記８記載の式）で出力する赤外線無線通信装置，あるいは
１０）前記９記載の赤外線無線通信装置が，キーを同時押下時に最初に検出したキーデータよりメイクデータを前記８記載の(2)式のデータ間隔で２回出力し，その後次に検出したキーのメイクデータを前記８記載の(2)式のデータ間隔で２回出力する赤外線無線通信装置，あるいは
１１）前記９記載の赤外線無線通信装置が，キーのメイクデータを出力し，その後更にキーの押下状態が継続されている場合，前記８記載の(2)式のデータ間隔の奇数倍の周期でデータを出力する赤外線無線通信装置，あるいは
１２）前記９記載の赤外線無線通信装置が，多重打鍵される機能キーが最初に放たれた場合に，前記８記載の(2)式のデータ間隔でブレイクデータを２回出力する赤外線無線通信装置，あるいは
１３）前記９記載の赤外線無線通信装置が，多重打鍵時に最後に放たれるキーのブレイクデータを全キーオフデータとしてデータ送出を行う赤外線無線通信装置により解決できる。
【００１０】
次に，本発明の作用について説明する。
(A) 空間を伝播する赤外線によるデータ伝送方式は外部からの光の影響を受けやすいため, 副搬送波で変調をかける方式が一般的である。こうした副変調をかけた一定の長さの赤外線パルス列 (オン時間) と次の赤外線パルス列との時間間隔 (オフ時間) により“０”, “１”のデータを構成し，時間間隔 (オフ時間) の差により“０”, “１”を判別している。
【００１１】
本発明は, 図１に示されるように“０”, “１”のデータ以外に第３の時間間隔 (オフ時間) を持つリーダパルス／エンドパルスを設け，これをデータ列の前後に挿入する。受信側装置では所定の回数以上リーダパルスが受信されない場合およびリーダパルスからエンドパルスまでのビットデータ列全体の長さが所定の範囲内にない場合に，そのデータ列を無効とすることでデータの誤りを防止している。
【００１２】
ここで，本発明はリーダパルスを複数回送出し，所定の回数以上（例えば，５回送出し，その内３回以上）受信することでビットデータ列の先頭を認識する。これはビットデータ列の途中でビット抜けが生じたときに，先頭のビット抜け部分をビットデータ列の先頭と誤って認識しないようにするためである。ここで，所定の回数以上受信されない場合にそのデータを無効としてしまうのは，誤ったデータを受信するよりも，全く受信しない方がよいからである。
【００１３】
また，本発明では複数台数の赤外線通信機器を使用した場合にビットデータ列が重なることがあり，その場合にはビットデータ列は誤ったデータとなる。これを検出するためにビットデータ列全体の長さを検出し，ビットの個数を数えることを行っている。そこで，ビットデータ列全体の長さが所定の長さ以内にない場合にそのデータを無効としてしまうのも，誤ったデータを受信するよりも，全く受信しない方がよいからである。
【００１４】
また，図１に示されるように，“０”，“１”，リーダパルス／エンドパルスを識別する各赤外線パルス列の時間間隔（オフ時間）のばらつきは，赤外線パルス列（オン時間）の長さの範囲以下であると考えられるため，識別のための時間間隔のしきい値（図１の境界時間に対応する）を各赤外線パルス列の時間間隔（オフ時間）差の略中央，つまり，各赤外線パルス列の時間間隔の和の１／２に設定（図１のＴ１，Ｔ２に対応する）することにより，データの誤りを極小にすることができる。
【００１５】
(B) 無線入力装置として最も多く使用されるものとしては文字入力用のキーボードとカーソル移動のためのマウスの２点があげられる。
この両装置を同時に使用すると，必ず赤外線データの干渉が発生し干渉したデータは認識されずにデータ抜けとなってしまう。
【００１６】
ここで，両方の装置の重要度を比較すると，マウスのカーソル移動機能に対し，キーボードは文字入力機能であるため，当然文字入力データの重要性が高くなる。カーソル移動のためのデータは１つ抜けても操作上問題はないが，文字入力は１文字でも抜けると問題であるためである。
【００１７】
本発明は光赤外線データの干渉を防ぐために以下のようにする。
マウスのデータ送出は滑らかなカーソル移動を行うために一定周期でデータ送出を行う必要があり，操作されている限りデータ送出を停止することはできない。従って，一定間隔で送出しているマウスデータの或る一定時間のデータのない部分に，キーデータを割り込ませて送信すれば，マウスとキーの両方のデータが有効となる。
【００１８】
【発明の実施の形態】
(A) まず，キー入力装置について説明する。
送信するデータ列として，キー入力装置やポインティング装置等を判別するデバイスＩＤと装置の機番等を判別するサブＩＤとを含むステータス領域と，メイク（接点オン）／ブレイク（接点オフ）判別ビットとキーアドレスからなるデータ領域とし，キーを押下した時にメイク／ブレイク判別ビットをメイクとしたデータ列を出力し，キーを離した時にメイク／ブレイク判別ビットをブレイクとしたデータ列を出力し，ビットデータ列を副変調をかけた一連の赤外線パルス列に変換して送信することで，この赤外線通信方式を無線入力装置に適用できる。
【００１９】
図４(A) はキー入力装置のデータ列の構成例を示す。
図において，ステータスデータは３ビットのデバイスＩＤと３ビットのサブＩＤと２ビットの“０”からなる。ここで，Ｘは“０”データかまたは“１”データであることを示す。また，０は“０”であることを，１は“１”データであることを示す。
【００２０】
キーアドレスデータは１ビットのメイク／ブレイク判別ビットと７ビットのキーアドレスデータからなる。
また各領域にパリティビットを付加したり，ＣＲＣ(Cyclic Redudancy Code) データを付与することでデータの信頼性を更に上げることができる。
【００２１】
また，このような無線入力装置で，ブレイクデータが受信されないとキーが押し続けられていると判断され，キーコードが定期的に出続ける状態（タイパー）が生じる。これを防止するためにはブレイクを確実に行うことが必要であるが，複数のキーが順次押下された場合には図２に示されるように最後に送信するブレークデータは，全キーオフデータ(ALL OFF) とし，また， “Shift", “Ctrl",   “Alt" 等の他のキーと同時に打鍵されることの多いキーは図３に示されるようにブレイクデータを２回送出する。
【００２２】
また，受光装置においても，所定の時間以上赤外線パルスを受光しなかった場合や無効データ（ノイズの干渉を受けたデータ）を受光した場合に，全キーオフデータをホストコンピュータ側に送出することでキーコードが定期的に出続ける状態を防止できる。
【００２３】
更に，図５に示されるように，制御装置に全キーがオフとなった後クロックを停止し，ハードウエア割り込みのみ有効となるストップモードに入り，次のキー入力をハードウエア割り込み入力として復帰する機能を持たせることで，消費電力を少なくし装置の寿命を延ばすことができる。
【００２４】
次に，移動量，位置，傾きや力の大きさ等のアナログ量をディジタル値に変換し，ホストコンピュータに伝送するポインティング装置に本発明の赤外線無線通信方式を適用する例を説明する。
【００２５】
送信するデータ列を，キー入力装置やポインティング装置等を判別するデバイスＩＤと装置の機番等を判別するサブＩＤとを含むステータス領域と正負のデータビットとアナログ量から変換されたディジタル値データを含むデータ領域とし，ビットデータ列を副変調をかけた一連の赤外線パルス列に変換して送信することで，この赤外線通信方式をワイヤレスキー入力装置に適用できる。
【００２６】
図４(B) はポインティング入力装置のデータ列の構成例を示す。
図において，ステータスデータは３ビットのデバイスＩＤと３ビットのサブＩＤと左右のスイッチのメイク／ブレイク状態を示す２ビットのメイク／ブレイク状態ビットからなる。
【００２７】
Ｘ方向データ／Ｙ方向データはそれぞれデータの正負を示す１ビットとＸ方向データ／Ｙ方向データのアナログ量より変換された７ビットのデータからなる。また，各領域にパリティビットを付加したり，ＣＲＣデータを付与することでデータの信頼性を更に上げることができる。
【００２８】
また，この時ステータス領域にポンイティング装置のボタンのメイク／ブレイク判別ビットを設け, ボタンを押下している期間メイク／ブレイク状態ビットをメイクとしたデータ列を出力し，ボタンを離している期間メイク／ブレイク状態ビットをブレイクとしたデータ列を出力し，ビットデータ列を副変調をかけた一連の赤外線パルス列に変換して送信することで，この赤外線通信方式をポインティング装置のボタンに関しても無線によりデータ伝送することができる。
【００２９】
また，図５に示されるように，最後にアナログ量検出を行った後, アナログ量の連続検出を停止し第１の所定時間ごとにアナログ量の検出を行うスタンバイモードに移行し，変化があった場合のみアナログ量の連続検出を行う通常モードに復帰し，さらに第２の所定時間までに変化が検出されない場合はクロックを停止しハードウエア割り込みのみ有効となるストップモードに入り, 次のキー入力をハードウエア割り込み入力として復帰する機能を制御装置に持たせることで，消費電力を少なくし装置の寿命を延ばすことができる。
【００３０】
(B) いま，マウスのデータ送信時間をＭms, キーのデータ送信時間をＫmsとした場合に, 図６に示される送信周期で各デバイスのデータを送信することにより，データの干渉が発生しても次のデータが必ず有効となる。
【００３１】
マウスデータ転送周期＝２Ｍ＋２Ｋ＋４ｔ
キーデータ  転送周期＝Ｍ＋Ｋ＋２ｔ
ここで，ｔは各データの間隙時間である。
【００３２】
このようにすれば，キーデータは１キーを押下した際に，最低２回の同一データを送出することにより確実にそのデータを有効とすることが可能となる。しかし，このときマウスデータの１データは無効となるが，連続して送出されているため操作上問題とならない。
【００３３】
また，キーを押下し続けた場合のタイパー動作によるキーデータの送出は図７に示される。
タイパーデータ転送周期＝（Ｍ＋Ｋ＋２ｔ）ｎ
ここで，ｎは奇数である。
【００３４】
このようにすると，２回のキータイパーデータの内必ず１回は有効（マウスデータとキーデータが重ならない）となる。
更に，キーボード操作においては多重打鍵，同時押下の操作があり，この場合は以下の▲１▼〜▲４▼記載の方式によりデータ送信を行うことにより有線方式と同等の転送品質を確保できる。
【００３５】
▲１▼  順次押下時のデータ送出
以下の図において，Ａキーに対するメイクデータをＡ，ブレイクデータをａ，Ｂキーに対するメイクデータをＢ，ブレイクデータをｂと表すと，この場合は図８に示されるように転送する。
【００３６】
図で，ＡＡ，ａａ，ＢＢ，ｂｂ間の狭い間隔は（Ｍ＋Ｋ＋２ｔ），広い間隔は（Ｍ＋Ｋ＋２ｔ）ｎを示す。
▲２▼  連続押下時のデータ送出は図９のようになり，２キー同時押下時に片方のキーが放たれた際に，ブレークデータは１回送出とする。この場合マウスデータの干渉により無効なデータとなる場合があるが，動作上Ｂキーが有効な入力となっているため問題はない。
【００３７】
ただし，最後に放たれたキーＢのブレイクデータを全キーオフ(ALL OFF) データとして出力し，全キーが解除されたこととする。この全キーオフデータも２回送出し，何れか１データを有効とする。
【００３８】
図で，ＡＡ，ａａ，ＢＢ，ｂｂ間の狭い間隔は（Ｍ＋Ｋ＋２ｔ），広い間隔は（Ｍ＋Ｋ＋２ｔ）ｎ，ALL OFF とALL OFF 間の間隔は（Ｍ＋Ｋ＋２ｔ）である。
▲３▼  同時押下時のデータ送出
同時押下された際，図10のように, 何れか最初に検出されたキーのメイクデータを２回送出する。その後，次に検出されたキーのメイクデータを同じく２回送出し，干渉によるデータ抜けを防止する。
【００３９】
図で，ＡＡ，ａａ，ＢＢ，ｂｂ間の狭い間隔は（Ｍ＋Ｋ＋２ｔ），広い間隔は（Ｍ＋Ｋ＋２ｔ）ｎ，ALL OFF とALL OFF 間の間隔は（Ｍ＋Ｋ＋２ｔ）である。
▲４▼  多重打鍵時のデータ送出
図11において，Ａキーが Ctrl, Alt, Shft等の機能キーの場合, ブレークデータ１回のみの送出でデータが無効になった場合に動作上問題が生じるため，ブレークデータの送出を２回とし，無効データとなることを防止する。
【００４０】
ＡＡ，ａａ，ＢＢ，ｂｂ間の狭い間隔は（Ｍ＋Ｋ＋２ｔ），広い間隔は      （Ｍ＋Ｋ＋２ｔ）ｎ，ALL OFF とALL OFF 間の間隔は（Ｍ＋Ｋ＋２ｔ）である。
また，図12，13は３キー押下の場合にゴースト発生のない場合とゴースト発生のある場合の説明図である。図で AKDはAny Key Downデータで, いずれかのキーが押されている状態を表すデータである。
【００４１】
図13に示されるように, 多重打鍵時にゴーストが発生した場合には Any Key  Downデータを出力するようにする。
多重打鍵（３キー以上）押下された場合，キーの押下組み合わせによってゴースト（回り込み）が発生する。通常，入力装置側でゴーストを検出した際はデータ送出を行わない。但し，請求項１４の受信装置を使用した場合，所定の時間以上赤外パルスを受信しなかった際に全機能の解除を行ってしまうため，Ａ，Ｂキーが押下されているにもかかわらず，未押下状態となってしまう。
【００４２】
この現象をなくするために，ゴースト発生時にAny Key Downデータを出力し，受信装置の状態を保持させる。
【００４３】
【発明の効果】
本発明によれば, (A) 赤外線無線伝送装置において，データの誤りを防止して確実なデータ伝送を行い, 且つ消費電力の少なくすることができる。
【００４４】
また，本発明によれば，(B) 操作性を落とすことなく１台の受光装置に複数のデバイス（マウス，キーボード等）の同時使用が可能となり，赤外方式による安価な入力装置を提供できる。
【図面の簡単な説明】
【図１】  本発明のビットデータの構成図
【図２】  本発明の送信データの説明図(1)
【図３】  本発明の送信データの説明図(2)
【図４】  本発明のデータ列構成例の説明図
【図５】  本発明の制御装置の動作説明図
【図６】  本発明のデータ送出の説明図
【図７】  本発明のタイパーデータ送出の説明図
【図８】  本発明の順次打鍵時のデータ送出の説明図
【図９】  本発明の連続打鍵のデータ送出の説明図
【図１０】  本発明の同時打鍵のデータ送出の説明図
【図１１】  本発明の多重打鍵のデータ送出の説明図
【図１２】  本発明の３重打鍵のデータ送出の説明図（ゴースト発生無）
【図１３】  本発明の３重打鍵のデータ送出の説明図（ゴースト発生有）
【図１】
0003853465.tif 000002
【図２】
0003853465.tif 000003
【図３】
0003853465.tif 000004
【図４】
0003853465.tif 000005
【図５】
0003853465.tif 000006
【図６】
0003853465.tif 000007
【図７】
0003853465.tif 000008
【図８】
0003853465.tif 000009
【図９】
0003853465.tif 000010
【図１０】
0003853465.tif 000011
【図１１】
0003853465.tif 000012
【図１２】
0003853465.tif 000013
【図１３】
0003853465.tif 000014